(57)【要約】【課題】複数の画像表示装置を組み合わせてマルチ画面表示装置を構成した場合に、それぞれの画像表示装置間で継ぎ目の目立たないマルチ画面表示装置およびマルチ画面表示装置の表示画像の調整方法を提供する。【解決手段】発光色の異なる複数の光源（ＬＥＤ）を有する複数のプロジェクタ１０１ａ〜１０１ｄと制御装置１０２からマルチ画面表示装置が構成されており、制御装置１０２はプロジェクタ１０１ａ〜１０１ｄの輝度を定期的に監視する。プロジェクタ１０１ａ〜１０１ｄは色度を維持するように動作しており、色度を維持するために輝度の目標値が達成できない場合は、その旨の信号を制御装置１０２に送信し、制御装置１０２から新しい輝度の目標値を受信し、その目標値になるようにプロジェクタ１０１ａ〜１０１ｄの光源の強度を調整する。【選択図】図１
2008151838.tif 000002
【特許請求の範囲】
【請求項１】
複数の画像表示装置と、前記複数の画像表示装置と通信をする制御装置とから構成されたマルチ画面表示装置であって、
前記画像表示装置が、
発光色の異なる複数の光源と、
前記複数の光源の強度または強度と色度とを測定する測定手段と、
前記制御装置から前記画像表示装置の輝度または色度の目標値を受信する受信手段と、
前記受信手段で受信した前記目標値または前記目標値から計算した値を記憶する記憶手段と、
前記記憶手段の内容と前記測定手段との測定結果に基づいて前記光源の強度または強度と色度とを調整する調整手段とを有することを特徴とするマルチ画面表示装置。
【請求項２】
前記画像表示装置がさらに送信手段を備え、
前記目標値を実現できない場合は、その旨の信号または新たに設定した目標値を前記制御装置に送信することを特徴とする請求項１記載のマルチ画面表示装置。
【請求項３】
前記目標値を実現できない旨の信号または新たな目標値を受信した前記制御装置は、受信した新たな目標値または前記制御装置自らが設定した新たな目標値を前記複数の画像表示装置に送信することを特徴とする請求項２記載のマルチ画面表示装置。
【請求項４】
新たな目標値を設定するときは、輝度の目標値のみを下げることを特徴とする請求項２または３記載のマルチ画面表示装置。
【請求項５】
前記色度の調整手段は発光色の異なる複数の光源を同時に発光することにより色度の調整を実現することを特徴とする請求項１記載のマルチ画面表示装置。
【請求項６】
前記制御装置は前記複数の画像表示装置の少なくとも１台に内蔵されていることを特徴とする請求項１〜５のいずれか１項記載のマルチ画面表示装置。
【請求項７】
複数の画像表示装置と、前記複数の画像表示装置と通信をする制御装置とから構成されたマルチ画面表示装置の輝度と色度とを調整する方法であって、
前記画像表示装置が有する発光色の異なる複数の光源の強度または強度と色度とを測定し、
前記制御装置から前記画像表示装置の輝度または色度の目標値を受信し、
受信した前記目標値または前記目標値から計算した値を記憶手段に記憶し、
前記記憶手段の内容と測定結果に基づいて前記光源の強度または強度と色度を調整することを特徴とするマルチ画面表示装置の表示画像の調整方法。
【請求項８】
前記画像表示装置が前記目標値を実現できない場合は、その旨の信号または新たに設定した目標値を前記制御装置に送信し、
前記目標値を実現できない旨の信号または新たな目標値を受信した前記制御装置は、受信した新たな目標値または前記制御装置自らが設定した新たな目標値を前記複数の画像表示装置に送信することを特徴とする請求項７記載のマルチ画面表示装置の表示画像の調整方法。
【請求項９】
新たな目標値を設定するときは、前記輝度の目標値のみを下げることを特徴とする請求項８記載のマルチ画面表示装置の表示画像の調整方法。
【発明の詳細な説明】
【技術分野】
【０００１】
本発明は、発光色の異なる複数の光源を有する画像表示装置を複数組み合わせて構成したマルチ画面表示装置に関し、特に表示画面の輝度や色度を調整して均一化したマルチ画面表示装置とその表示画像の調整方法に関する。
【背景技術】
【０００２】
従来、画像表示装置を複数組み合わせて同一平面上に密着して配置することにより、全体を１つの画面のように大画面で見せたり、それぞれの画像表示装置に異なる画像を見せたりするマルチ画面表示装置が講演会やイベント会場、監視システムのディスプレイ等として用いられている。
【０００３】
このようなマルチ画面表示装置では、大画面ディスプレイであるプラズマディスプレイパネル（ＰＤＰ）、液晶ディスプレイや投写型ディスプレイ（プロジェクタ）等が画像表示装置として用いられている。
【０００４】
マルチ画面表示装置においては、画像表示装置間での輝度や色度が違う場合に、画像表示装置の継ぎ目がはっきりわかってしまうため、できるだけ画像表示装置間で輝度や色度を合わせることが望ましい。そこで、従来は画像表示装置の平均輝度レベル（ＡＰＬ）を測定し、マルチ画面表示装置を構成する他の画像表示装置に伝送し、そのレベルをそろえることで、輝度のばらつきを抑える方法が提案されている（例えば、特許文献１を参照）。
【０００５】
また、画像表示装置の色度を調整する方法が開示されている（例えば、特許文献２を参照）。
【特許文献１】特開２００２−６８０４号公報
【特許文献２】特開２００４−１４０８００号公報
【発明の開示】
【発明が解決しようとする課題】
【０００６】
しかしながら、上記従来の特許文献１の構成では、輝度は合うが色が合わないという問題点があり、白以外を表示する場合には画像表示装置間での色の差が検知され、継ぎ目がわかってしまうという問題があった。
【０００７】
また、特許文献２では色度の補正については開示されているが、マルチ画面表示装置において複数の画像表示装置の色度と輝度を合わせる方法については記載されていない。
【０００８】
本発明は上記従来の問題点を解決するもので、複数の画像表示装置を組み合わせてマルチ画面表示装置を構成した場合に、それぞれの画像表示装置間で継ぎ目の目立たないマルチ画面表示装置および表示画像の調整方法を提供することを目的とする。
【課題を解決するための手段】
【０００９】
上述した課題を解決するために本発明のマルチ画面表示装置は、複数の画像表示装置と、複数の画像表示装置と通信をする制御装置とから構成されたマルチ画面表示装置であって、画像表示装置が、発光色の異なる複数の光源と、複数の光源の強度または強度と色度とを測定する測定手段と、制御装置から画像表示装置の輝度または色度の目標値を受信する受信手段と、受信手段で受信した目標値または目標値から計算した値を記憶する記憶手段と、記憶手段の内容と測定手段との測定結果に基づいて光源の強度または強度と色度とを調整する調整手段とを有することを特徴とする。これにより、複数の画像表示装置を組み合わせてマルチ画面表示装置を構成した場合に、それぞれの画像表示装置間で継ぎ目の目立たないマルチ画面表示装置を提供することができる。
【００１０】
また本発明のマルチ画面表示装置は、画像表示装置がさらに送信手段を備え、目標値を実現できない場合は、その旨の信号または新たに設定した目標値を制御装置に送信するようにしてもよい。これにより、制御装置はマルチ画面表示装置を構成する各画像表示装置の輝度と色度の情報を常に監視することができる。
【００１１】
また本発明のマルチ画面表示装置は、目標値を実現できない旨の信号または新たな目標値を受信した制御装置は、受信した新たな目標値または制御装置自らが設定した新たな目標値を複数の画像表示装置に送信するようにしてもよい。これにより、制御装置はマルチ画面表示装置を構成するすべての画像表示装置の輝度と色度の目標値を揃えることができる。
【００１２】
また本発明のマルチ画面表示装置は、新たな目標値を設定するときは、輝度の目標値のみを下げるようにしてもよい。これにより、マルチ画面表示装置を構成するすべての画像表示装置の色度を維持できる。
【００１３】
また本発明のマルチ画面表示装置は、色度の調整手段は発光色の異なる複数の光源を同時に発光することにより色度の調整を実現するようにしてもよい。これにより、各色の光源単体では、調整できない光源の色度も調整が可能となる。
【００１４】
また本発明のマルチ画面表示装置は、制御装置は複数の画像表示装置の少なくとも１台に内蔵するようにしてもよい。これにより、特別の制御装置が不要となり、マルチ画面表示装置が容易かつ安価に構成できる。
【００１５】
本発明のマルチ画面表示装置の表示画像の調整方法は、複数の画像表示装置と、複数の画像表示装置と通信をする制御装置とから構成されたマルチ画面表示装置の輝度と色度とを調整する方法であって、画像表示装置が有する発光色の異なる複数の光源の強度または強度と色度とを測定し、制御装置から画像表示装置の輝度または色度の目標値を受信し、受信した目標値または目標値から計算した値を記憶手段に記憶し、記憶手段の内容と測定結果に基づいて光源の強度または強度と色度を調整することを特徴とする。これにより、複数の画像表示装置を組み合わせてマルチ画面表示装置を構成した場合に、それぞれの画像表示装置間で継ぎ目の目立たないマルチ画面表示装置の表示画像の調整方法を提供することができる。
【００１６】
また本発明のマルチ画面表示装置の表示画像の調整方法は、画像表示装置が目標値を実現できない場合は、その旨の信号または新たに設定した目標値を制御装置に送信し、目標値を実現できない旨の信号または新たな目標値を受信した制御装置は、受信した新たな目標値または制御装置自らが設定した新たな目標値を複数の画像表示装置に送信するようにしてもよい。これにより、制御装置はマルチ画面表示装置を構成する各画像表示装置の輝度と色度の情報を常に監視することができるとともに、マルチ画面表示装置を構成するすべての画像表示装置の目標値を揃えることができる。
【００１７】
また本発明のマルチ画面表示装置の表示画像の調整方法は、新たな目標値を設定するときは、輝度の目標値のみを下げるようにしてもよい。これにより、マルチ画面表示装置を構成するすべての画像表示装置の色度を維持できる。
【発明の効果】
【００１８】
以上のように本発明によれば、複数の画像表示装置を組み合わせてマルチ画面表示装置を構成した場合に、それぞれの画像表示装置間で継ぎ目の目立たないマルチ画面表示装置および表示画像の調整方法を提供することができる。
【発明を実施するための最良の形態】
【００１９】
以下、本発明の実施の形態について、図面を参照して説明する。
【００２０】
（実施の形態１）
図１は、本発明の実施の形態１に係るマルチ画面表示装置の概略構成図である。本実施の形態では、画像表示装置として、プロジェクタを例に説明する。本実施の形態のマルチ画面表示装置は、４台のプロジェクタ１０１ａ、１０１ｂ、１０１ｃ、１０１ｄと４台のプロジェクタの輝度、色度を制御するための制御装置１０２および投写画像を表示するスクリーン１０３から構成されている。制御装置１０２は４台のプロジェクタ１０１ａ〜１０１ｄとＲＳ２３２Ｃ等の通信回線で接続されている。制御装置１０２としては、通常のパーソナルコンピュータでもよいしマルチ画面表示装置用の特別な制御装置でもよい。本実施の形態では、プロジェクタ１０１ａ〜１０１ｄは４台としているが、４台に限定されるものでないのはもちろんである。
【００２１】
図２は、本実施の形態のプロジェクタ１０１ａの内部構成を示すブロック図である。他のプロジェクタ１０１ｂ、１０１ｃ、１０１ｄも同じ構成である。プロジェクタ１０１ａは、それぞれ赤、青、緑の色の光を発光するＬＥＤ等の赤色光源２０１ａ、青色光源２０１ｂ、緑色光源２０１ｃと、それぞれの光源の光の強度と色度を測定する赤色センサ２０２ａ、青色センサ２０２ｂ、緑色センサ２０２ｃと、各色のセンサからの測定値をディジタル値に変換するＡ／Ｄ変換器２０３ａ、２０３ｂ、２０３ｃと、各光源の強度と色度の目標値を格納しているメモリ２０７と、測定値と目標値に基づいて各光源を制御する制御部（マイコン）２０６と、制御部２０６からの制御信号をアナログ信号に変換するＤ／Ａ変換器２０５ａ、２０５ｂ、２０５ｃと、光源を駆動する駆動電流を各光源へ供給する赤色光源駆動回路２０４ａ、青色光源駆動回路２０４ｂ、緑色光源駆動回路２０４ｃと、光源から発光した３色の光を合成する光合成部２０９と、画像入力ＩＦ２１０と、画像の拡大や縮小を行う信号処理部２１１と、ＤＭＤ（Ｄｉｇｉｔａｌ  Ｍｉｃｒｏ  Ｍｉｒｒｏｒ  Ｄｅｖｉｃｅ）（登録商標）等から構成され各色の光を画像信号で変調する表示素子２１２と、スクリーン（図示せず）へ画像を投写する投写部２１３と、外部の制御装置１０２と通信するためのＲＳ２３２ＣＩＦ２０８から構成されている。
【００２２】
次に、プロジェクタの動作について図３を参照しながら説明する。図３は、赤色光源２０１ａ、青色光源２０１ｂ、緑色光源２０１ｃの発光強度と表示素子２１２へ入力される画像信号との関係について説明した図である。
【００２３】
画像信号が画像入力ＩＦ２１０を介して信号処理部２１１へ入力されると、信号処理部２１１で拡大、縮小等の信号処理を行い表示素子２１２へ送られる。例えば、１枚の画像を４台のプロジェクタに表示するマルチ画面表示装置の場合は、入力画像を４倍に拡大する。表示素子２１２は信号処理部２１１から供給される画像信号に基づいて光合成部２０９で合成された光を変調して、投写部２１３によってスクリーンへ投写する。赤、青、緑の３色の光の変調は順次時分割で行われる。すなわち、図３に示すように表示素子２１２に赤色に対応する画像信号が入力されているときには光合成部２０９から赤色の光が供給されるようになっている。青色、緑色についても同様である。
【００２４】
そして、赤、青、緑の各色に対応した画像信号とそれぞれに対応した色の光が表示素子２１２において順次変調される。この時分割の速度を十分速くすれば人間の網膜の残像現象のため人間にはカラーの動画が認識されることとなる。ところで、図３に示すように、赤色の画像信号が入力されている場合でも、赤色光源のみでなく、青や緑の光源も合わせて発光させている。これは、複数のプロジェクタ間で色度が異なる場合に、他の光源も同時に発光させることにより光源の色度を等価的に変更させることによりプロジェクタの色度を調整するためである。
【００２５】
表示素子２１２に赤色の画像信号が入力されているときの赤色光源２０１ａの強度はＹｒｒ、青色光源２０１ｂの強度はＹｂｒ、緑色光源２０１ｃの強度はＹｇｒである。同様に、表示素子２１２に青色の画像信号が入力されているときの赤色光源２０１ａの強度はＹｒｂ、青色光源２０１ｂの強度はＹｂｂ、緑色光源２０１ｃの強度はＹｇｂである。また同様に、表示素子２１２に緑色の画像信号が入力されているときの赤色光源２０１ａの強度はＹｒｇ、青色光源２０１ｂの強度はＹｂｇ、緑色光源２０１ｃの強度はＹｇｇである。プロジェクタ１０１ａの輝度と色度は上記９つの光源の強度値を制御することにより、ある条件のもとでは自由に輝度と色度を調整することが可能となる。
【００２６】
次に、具体的なプロジェクタの輝度と色度の調整方法について説明する。説明を簡略にするためにプロジェクタ１０１ａとプロジェクタ１０１ｂの２台間での調整を例に説明する。通常、プロジェクタに使用されている光源は温度、湿度等の使用環境の変化、ＬＥＤの劣化等でその強度と色度が時間とともに変化し、それに伴ってプロジェクタの輝度と色度も変化するが、まずは光源の経時変化は強度のみに発生し、色度は変化しないものとする。したがって、この場合には、色度については設置時のみ測定しておけばよく、監視が必要なのは光源の強度だけである。
【００２７】
図４は、設置時の２台のプロジェクタ１０１ａ、１０１ｂの色度と色度の目標値をｘｙ色度図上に表示したものである。例えば、プロジェクタ１０１ａの赤、青、緑の光源（ＬＥＤ）の色度がＲ１、Ｂ１、Ｇ１の位置で表わされ、プロジェクタ１０１ｂの各色の光源の色度がＲ２、Ｂ２、Ｇ２の位置で表わされるように２台のプロジェクタ間で色度のばらつきがあるとする。色度の調整をせずにプロジェクタ１０１ａとプロジェクタ１０１ｂを並べると、同じ画像を表示しても色が異なって見えるため２台のプロジェクタ間で継ぎ目がわかる。
【００２８】
ところで、プロジェクタ１０１ａでは３色の光源の光の混合比を変えることでＲ１、Ｂ１、Ｇ１を頂点とする三角形の内側の色度を表示することができ、同様にプロジェクタ１０１ｂではＲ２、Ｂ２、Ｇ２を頂点とする三角形の内側の色度を表示することができる。したがって、例えば図４のＲ、Ｇ、Ｂの色度を３原色に用いてこの３点を頂点とする３角形の内側であればいずれのプロジェクタでも表示することができる。
【００２９】
図５は、制御装置１０２が２台のプロジェクタ１０１ａ、１０１ｂの間で輝度と色度をどのように合わせるかを説明したフローチャートである。図５を参照してマルチ画面表示装置の輝度と色度を調整する方法について説明する。まず、プロジェクタ１０１ａ、１０１ｂではステップＳ５０２ａ、ステップＳ５０２ｂで赤色センサ２０２ａ、青色センサ２０２ｂ、緑色センサ２０２ｃに対応するメモリ２０７の領域に目標強度の初期値を記憶させる。この初期値はそれぞれのプロジェクタ１０１ａ、１０１ｂで同じ輝度、色度になるように設定しておく。
【００３０】
次にそれぞれステップＳ５０３ａ、Ｓ５０３ｂでは各光源の強度が変化してもプロジェクタの色度を維持するように動作する。ステップＳ５０４ａ、ステップＳ５０４ｂでは同じ色度を維持しながら輝度を保てるかを判断し、輝度が保てない場合（Ｙｅｓの場合）にはステップＳ５０５ａ、ステップＳ５０５ｂで輝度を下げる動作をする。
【００３１】
制御装置１０２は、ステップＳ５０１にてプロジェクタ１０１ａ、１０１ｂそれぞれの輝度が下がったかどうかを定期的に監視し、プロジェクタ１０１ａ、１０１ｂのどちらかの輝度が下がることにより２台の輝度が揃っていない場合には輝度が低い方に合わせるように他方の輝度を下げる指令を出し、この指令を受信したプロジェクタはその指令によって輝度を下げる。上記輝度を監視する間隔は、プロジェクタの輝度の変化の状況で決めればよい。例えば、温度等の使用環境によって短時間で変化することが予想される場合は１分間隔でもよいし、ＬＥＤ素子自体の劣化等による輝度の変化のみを対象とすればよい場合には１カ月に１回でもよい。
【００３２】
図６は上述したプロジェクタ間の調整方法をより詳細に説明するためのフローチャートである。このフローチャートに基づいて、プロジェクタ内部の光源の調整方法について詳細に説明する。
【００３３】
プロジェクタの電源がＯＮされる、または調整ボタン等が押されると、まず、ステップＳ６０１で各光源の９つの強度値Ｙｒｒ〜Ｙｇｇの目標値をメモリ２０７から取り込む。次にステップＳ６０２で各光源の９つの強度値Ｙｒｒ〜Ｙｇｇの測定値を各色のセンサから取り込む。ステップＳ６０３では、これら測定値と目標値がすべて一致しているか否かを判定する。上記９つの強度値がすべて目標値と一致していれば（Ｙｅｓの場合）、ステップＳ６０４でタイマーによって設定された所定時間だけ待つ。そして、所定時間が経過すると、ステップＳ６０５で制御装置１０２から新しい輝度の目標値を受信したか否かを判定し、受信していなければ（Ｎｏの場合）ステップＳ６０２へ戻り再び監視ループに入る。一方、新しい輝度の目標値を受信していれば（Ｙｅｓの場合）ステップＳ６０８へ進み新しい輝度の目標値になるように各光源の９つの強度値の新たな目標値を計算する。そして、ステップＳ６０９で目標値を格納しているメモリの内容を新しい目標値に更新して、最初のステップＳ６０１に戻る。
【００３４】
一方、ステップＳ６０３で９つの強度値のうち１個でも目標値と一致していなければ（Ｎｏの場合）、調整ループに入る。ステップＳ６０６において、目標値と一致していない光源の駆動電流を測定結果に応じて増減させる。すなわち、測定値が目標値よりも小さければ駆動電流を増やして発光強度を上げ、逆に測定値が目標値よりも大きければ駆動電流を減らして発光強度を下げる。ステップＳ６０７では、ステップＳ６０６で駆動電流を増減した結果、駆動電流が最大（駆動能力の限界）になったか否かを判定する。もし、駆動電流が最大でなく、さらに流せる能力があると判断すれば、ステップＳ６０２へ戻って、すべての光源の強度が目標値に一致するまでこの調整ループを繰り返す。通常の状態では光源（赤色光源２０１ａ、青色光源２０１ｂ、緑色光源２０１ｃ）は目標値の強度となるが、光源の劣化や長時間使用による光源等の発熱による温度上昇があると、光源駆動回路が最大電流を供給しても十分な強度が得られなくなる。
【００３５】
ステップＳ６０７で駆動電流が最大と判定されると、これ以上の調整は不可能と判断して、ステップＳ６０８に進む。ステップＳ６０８では、各光源の９つの強度値の目標値を一定割合（例えば、Ｋ）だけ下げて新たな目標値を計算し、ステップＳ６０９でメモリの目標値を更新する。このように、９つの強度値の目標値を一定の割合で下げることにより、プロジェクタの輝度は下がるものの色度を保持することができる。そして、次にはステップＳ６０１へ戻り、電源ＯＮと同じ状態から調整がスタートする。それと同時に、ステップＳ６１０では光源の新しい目標値からプロジェクタの輝度の新しい目標値を計算し、制御装置１０２から問い合わせがあった際に、この輝度の目標値を外部の制御装置１０２に送信する。
【００３６】
上記説明では、メモリには、各光源の強度の目標値を格納するとしたが、これに限定されず、各プロジェクタの輝度と色度の目標値を格納しておいてもよい、この場合はマイコンで、輝度と色度の目標値から対応する各光源の強度の目標値を計算することになる。また、外部の制御装置と通信する内容は、プロジェクタの輝度の目標値であるとしたが各光源の９つの強度値の目標値そのものを通信してもよい。また、輝度の目標値は外部制御装置が決定してその目標値を各プロジェクタに送信してもよい。このときは、各プロジェクタからは、輝度の目標値が達成できない旨の情報のみを送って、制御装置が輝度の新しい目標値を決めることになる。
【００３７】
また、目標値と測定値の一致の判定には、幅を持たせてもよい。このようにすることにより、強度のわずかな変化によって何回も輝度が調整されることによる制御装置１０２等の負担が大きくなることを防止することができる。
【００３８】
これまでは、光源の強度のみが経時変化する場合について説明したが、光源の色度も経時変化する場合でも同様に調整できる。この場合は、図４で示したプロジェクタの各光源の色度自身がｘｙ色度図表上で座標が変化する状態である。この場合は、色センサはステップＳ６０２で各光源の強度だけでなく色度も合わせて測定し、強度と色度の測定結果から各光源の９つの強度の目標値Ｙｒｒ〜Ｙｇｇを決めればよい。
【００３９】
以上説明したように、本発明のマルチ画面表示装置によれば、マルチ画面表示装置を構成するプロジェクタの輝度や色度が種々の原因で時間的に変化しても、すべてのプロジェクタの輝度や色度を正確かつ迅速に調整して合わすことができ、それぞれのプロジェクタ間で継ぎ目の目立たないようにすることができる。
【００４０】
本発明の内容が、上記実施の形態に示された具体例に限定されないことは勿論であり、例えば以下のような変形例が考えられる。
【００４１】
（１）
上記の実施の形態では、各プロジェクタで輝度を下げた後それを制御装置１０２経由で他の装置の輝度も下げる方法について述べたが、これに限らない。例えば、プロジェクタの輝度が目標値に達しない場合に、すぐにはプロジェクタ１０１ａの輝度の目標値を変えずに輝度が目標値に達しない旨の情報を制御装置１０２に送信して、制御装置１０２が輝度を下げる旨の指令を送信してそれがプロジェクタに届いたときに、その信号に基づいてメモリ２０７の内容を更新するようにしてもよい。このようにすることにより、すべてのプロジェクタの輝度を同時期に変化させることができる。
【００４２】
（２）
上記の実施の形態では、赤、青、緑の光源の強度の比を一定に保ったまま輝度を下げることにより、すべてのプロジェクタの色度を合わせたが、上記の方法に限らない。例えば、発光色が異なる複数の光源の内１つについて最高強度が目標値に達しない場合に赤、青、緑の光源の強度の比を許容範囲内で変更することにより輝度の低下を少なくし（または輝度を変えずに）、他の画像表示装置に対しても同じ色度に変更するように指令を出す方法がある。
【００４３】
具体的には例えば、色度が変わったという情報を制御装置１０２で監視することにより、他方のプロジェクタの色度を変える動作をさせればよい。その場合、図５は下記のように変わる。すなわち、ステップＳ５０４ａ、ステップＳ５０４ｂで色度が保てるかどうかの判断を行い、ステップＳ５０５ａ、ステップＳ５０５ｂで輝度または色度を変える動作をさせればよい。
【００４４】
また、制御装置１０２からの「輝度の問い合わせ」は「輝度と色度の問い合わせ」となり、ステップＳ５０１の「輝度が下がった？」は「輝度または色度の変化はあった？」となり、「輝度を下げる指令」は「輝度または色度を変える指令」となる。このようにすることにより、すべてのプロジェクタの輝度と色度を合わせることができ、色度を一定にする場合に比べて全体の輝度の低下を少なくすることができるという利点がある。
【００４５】
（３）
光源の色度が大きく変化した場合（例えば図４でＧ１の色度がＲＧＢの三角形の内側に入る等した場合）には３光源の強度の割合を変えるだけではＧの色度を表現することができない。この場合もすべてのプロジェクタのＲＧＢの色度の目標値を変更することによって画像表示装置の色度を一致させることが可能となる。
【００４６】
光源の色度の目標値を変化させない場合は、目標値を実現可能な値にするために図４であればＲＧＢの三角形の大きさを小さくして調整のための余裕を持たせておく必要があるが、目標値を可変にすることにより、プロジェクタの光源の能力をより有効に利用する（ＲＧＢの三角形の内側の広さ、すなわち表現する色の範囲を広げる）ことが可能となる。
【００４７】
（４）
上記の実施の形態では、３個の発光色が異なる光源を用いた例を説明したが、光を発生する装置が複数個ある必要はなく、複数の異なる色の光の強度を独立して変化させることができればよい。例えば白色のランプと白色を赤、青、緑の各色の光に分ける装置と赤、青、緑の色の光の透過率を電圧で制御できるフィルターを通した後に、これらの光を合成するようにしてもよい。
【００４８】
（５）
上記の実施の形態では、光源の強度を変化させることによって色度を補正する場合について説明したが、光源に供給する電流や電圧を変化させることによって光源自体の色度を変化させてもよい。この場合は、光源の色度を直接変化させることによって画像表示装置の色度の補正ができる。光源の色度を変化させてそれでも調整できない部分を光源の強度によって調整してもよい。
【００４９】
（６）
上記の実施の形態では、制御装置１０２が各画像表示装置の最大輝度を一致させるために、プロジェクタに対して輝度（または輝度と色度）の問い合わせをする場合について図５を用いて説明をしたが、これに限られるものではない。例えば、各プロジェクタは輝度の設定を変更した場合、または輝度を変更する必要が生じた場合に、制御装置からの問い合わせがなくても変更後の輝度を送信するようにしてもよい。
【００５０】
（７）
光源を調整するのに駆動電流を変えることによって強度を調整すると説明したが、強度を一定にして発光させる時間を変えて調整するようにしてもよい。このようにすることにより供給する電流で光源の色度が変わる場合でも光源の色度を変えずに強度のみを変えることができる。なお、この場合は、各色センサの測定値および目標値は光源の強度ではなく、強度を時間で積分した光量となる。
【００５１】
（８）
上記の実施の形態では、それぞれの光源の強度を個別に測定する場合を説明したが、光合成後に光を測定してもよい。このようにすることにより、光合成部の透過率等も含んだより実際に近い各色の光の強度および色度を測定できる。
【００５２】
（９）
上記の実施の形態では、所定の時間毎に調整ループを回すようにしたが、電源投入時またはユーザーからのトリガがあったときだけに各光源の強度を測定してもよい。この場合は、上記９つの強度に対応する光を順次発光させて測定してもよい。こうすることにより、光源の応答時間を気にすることなく正確な強度または色度を測定できる。
【００５３】
（１０）
ここでは、プロジェクタと制御装置を接続する規格として、ＲＳ２３２Ｃを用いた例について説明したが、ＵＳＢ（Ｕｎｉｖｅｒｓａｌ  Ｓｅｒｉａｌ  Ｉｎｔｅｒｆａｃｅ）、有線ＬＡＮ（Ｌｏｃａｌ  Ａｒｅａ  Ｎｅｔｗｏｒｋ）や無線ＬＡＮでもよくこれらに限るものではない。
【００５４】
（１１）
上記実施の形態では、制御装置を外部に持つ構成を説明したが、制御装置の機能をプロジェクタ内に設けてもよい。こうすることにより、マルチ画面表示システムが容易に構成できる。
【００５５】
（１２）
上記実施の形態では、画像表示装置の例としてプロジェクタを例に説明したが、これに限定されるものではなく、バックライト型の液晶表示装置等にも幅広く適用できる。
【産業上の利用可能性】
【００５６】
本発明は、複数の画像表示装置を用いて大画面で表示する際に、継ぎ目を目立たさずに表示するマルチ画面表示装置を実現できるものである。
【図面の簡単な説明】
【００５７】
【図１】本発明の実施の形態１のマルチ画面表示装置の概略構成図
【図２】本発明の実施の形態１のマルチ画面表示装置のブロック図
【図３】本発明の実施の形態１のマルチ画面表示装置における各光源の発光強度と画像信号との関係について説明した図
【図４】本発明の実施の形態１のマルチ画面表示装置において、２台のプロジェクタの設置時の色度と目標の色度をｘｙ色度図表上に表わした図
【図５】本発明の実施の形態１のマルチ画面表示装置の動作を示すフローチャート
【図６】本発明の実施の形態１のマルチ画面表示装置において、プロジェクタの動作をより詳細に示すフローチャート
【符号の説明】
【００５８】
１０１ａ，１０１ｂ，１０１ｃ，１０１ｄ    プロジェクタ
１０２    制御装置
１０３    スクリーン
２０１ａ    赤色光源
２０１ｂ    青色光源
２０１ｃ    緑色光源
２０２ａ    赤色センサ（測定手段）
２０２ｂ    青色センサ（測定手段）
２０２ｃ    緑色センサ（測定手段）
２０３ａ，２０３ｂ，２０３ｃ    Ａ／Ｄ変換器
２０４ａ    赤色光源駆動回路（調整手段）
２０４ｂ    青色光源駆動回路（調整手段）
２０４ｃ    緑色光源駆動回路（調整手段）
２０５ａ，２０５ｂ，２０５ｃ    Ｄ／Ａ変換器
２０６    制御部
２０７    メモリ（記憶手段）
２０８    ＲＳ２３２ＣＩＦ（送信手段／受信手段）
２０９    光合成部
２１０    画像入力ＩＦ
２１１    信号処理部
２１２    表示素子
２１３    投写部
【図１】
2008151838.tif 000003
【図２】
2008151838.tif 000004
【図３】
2008151838.tif 000005
【図４】
2008151838.tif 000006
【図５】
2008151838.tif 000007
【図６】
2008151838.tif 000008